(57)【要約】【課題】  先ず、弁を開放する弁座の開閉が、フロートの自重とフロート本体による浮力を中心として成される為に、継続的に流れている場合に、開いたと思うと閉じ、閉じたと思うと開くというように、常に半開きの状態になることが多く、更に、流量が少ない場合、浮力によるフロート本体が上昇せず、当然排水にも勢いが無く、溜ったドレン水の水と油が分離し、浮上した油が排出し難いという問題が有り、加えて、弁の内径が小さい場合流速がない為、油や垢等が内壁に付着し易くなり、詰まりの原因となって、清掃の間隔を短くする必要があった。【解決手段】  弁１８を瞬時に完全に開放することが確実に成されるように、ケース１０、２０内に溜まるドレン水１０１が瞬時に急激に増加するようにした。【選択図】図１
2008281186.tif 000002
【特許請求の範囲】
【請求項１】
ケース（１０、２０）内にフロート（５０）を収納し、前記ケース（１０、２０）内に溜まるドレン水（１０１）によって前記フロート（５０）に浮力を発生させ、前記フロート（５０）を構成して一体となっている弁座（５２）を浮力によって回動させることで前記ケース（１０、２０）を構成して一体となっている弁（１７）に形成された流出口（１１ｔ、２１ｔ）を開閉するようにしたドレン水の排出方法に於いて、前記弁（１８）を瞬時に完全に開放することが確実に成されるように、前記ケース（１０、２０）内に溜まる前記ドレン水（１０１）が瞬時に急激に増加するようにしたことを特徴とするドレン水の排出方法。
【請求項２】
前記ケース（１０、２０）内に溜まる前記ドレン水（１０１）が瞬時に急激に増加することが可能なように、流入するドレン水（１０３）を一旦貯留させることを特徴とする請求項１に記載のドレン水の排出方法。
【請求項３】
前記ドレン水（１０３）を一旦貯留させることで、その量が一定量を超えた際に、または一定時間を経過した際に、瞬時に急激に放出するようにしたことを特徴とする請求項２に記載のドレン水の排出方法。
【請求項４】
前記ドレン水（１０３）を一旦貯留させる手段として、前記ケース（１０、２０）内部の上部に位置し軸（３２、４２）によって保持しているドレン水貯留槽（３０、４０）に前記ドレン水（１０３）を一旦貯留させ、前記ドレン水貯留槽（３０、４０）の重心の位置が空の状態から満杯になるに従って移動するものであり、前記ドレン水貯留槽（３０、４０）が空の状態では、流入する前記ドレン水（１０３）を一旦貯留させることが可能なように開口部を水平面にさせていることを特徴とする請求項２または請求項３に記載のドレン水の排出方法。
【請求項５】
前記ドレン水貯留槽（３０、４０）が満杯の状態に近付いた際には、前記ドレン水（１０３）を一旦貯留させた状態から全量を瞬時に急激に放出する為に、前記ドレン水貯留槽（３０、４０）が前記軸（３２、４２）を中心に回動可能にしたことを特徴とする請求項４に記載のドレン水の排出方法。
【請求項６】
アーム（５１ｂ）を中心にして一方の端部に水で浮くことが出来るフロート本体（５１ａ）を位置させ他方の端部の近傍に回転軸（５１ｃ）を形成したフロート組立（５１）と他方の端部に弁座（５２）を一体に構成したフロート（５０）を、ドレン水（１０１）が流出する流出口（１１ｔ、２１ｔ）を形成した弁（１８）と前記回転軸（５１ｃ）を保持することで前記フロート（５０）を回動させるフロートブラケット（１７）とを一体に構成したケース（１０、２０）内に収納し、前記ケース（１０、２０）の一定の位置まで前記ドレン水（１０１）が溜まっていない場合には、前記フロート（５０）の自重によって前記弁座（５２）が前記弁（１８）を閉鎖し、前記ケース（１０、２０）の一定の位置以上まで前記ドレン水（１０１）が溜まった場合には、前記フロート本体（１１、２１）の浮力によって前記弁座（５２）が前記弁（１８）を開放するようにした浮力式ドレントラップに於いて、前記フロート本体（５１ａ）の浮力によって前記弁座（５２）が前記弁（１８）を瞬時に完全に開放することが確実に成されるように、前記ケース（１０、２０）内に流入するドレン水（１０３）を一旦貯留させるドレン水貯留槽（３０、４０）を設け、前記ドレン水（１０３）を一旦貯留させた状態から瞬時に急激に放出することを可能にしたことを特徴とする浮力式ドレントラップ。
【請求項７】
前記ドレン水貯留槽（３０、４０）は、軸（３２、４２）によって回動可能に保持したものであり、前記ドレン水（１０３）を一旦貯留させた状態から全量を開口部先端（３１ｋ、４１ｋ）より瞬時に急激に放出することを可能にしたことを特徴とする請求項６に記載の浮力式ドレントラップ。
【請求項８】
前記ドレン水貯留槽（３０、４０）が空の場合には、前記ドレン水貯留槽（３０、４０）の開口部が前記開口部先端（３１ｋ、４１ｋ）と共に水平面となるようにし、回動することもなく流入する前記ドレン水（１０３）を一端貯留させることを可能とし、前記ドレン水貯留槽（３０、４０）が満杯になってきた場合には、前記ドレン水貯留槽（３０、４０）の重心を前記開口部先端（３１ｋ、４１ｋ）の側に移動していくことで前記ドレン水貯留槽（３０、４０）が前記軸（３２、４２）を中心に回動可能とし、それによって前記ドレン水貯留槽（３０、４０）の前記ドレン水（１０３）を一旦貯留させた状態のものを前記開口部先端（３１ｋ、４１ｋ）から前記ケース（１０、２０）内に瞬時に急激に放出することを可能にしたことを特徴とする請求項７に記載の浮力式ドレントラップ。
【請求項９】
前記ドレン水貯留槽（３０、４０）が空の場合には、前記ドレン水貯留槽（３０、４０）の開口部が前記開口部先端（３１ｋ、４１ｋ）と共に水平面となるように、ストッパー（２９）で拘束することを特徴とする請求項８に記載の浮力式ドレントラップ。
【請求項１０】
前記ドレン水貯留槽（３０、４０）を構成している貯留槽本体（３１、４１）の何れかの位置に錘を付加することで、前記ドレン水貯留槽（３０、４０）の重心を調整可能にしたことを特徴とする請求項８または請求項９に記載の浮力式ドレントラップ。
【発明の詳細な説明】
【技術分野】
【０００１】  本発明は、ドレン水の排出方法および浮力式ドレントラップに関する技術であって、更に詳細に述べると、浮力を利用して弁を開放するのに際し、特に浮力の効果を顕著に引き出すことで、瞬時に完全に開放することが確実に成されるように、ドレントラップ内に溜まるドレン水が瞬時に急激に増加するようにした技術に関して述べたものである。
【背景技術】
【０００２】  従来、ドレン水の排出方法および浮力式ドレントラップに関する技術としては、ケースの内部にフロートを収納したものがある（例えば、特許文献１）。【０００３】  この場合、特許文献１の図５には、従来の浮力式ドレントラップの流出口を開放している図として、ケース１００Ｂとフロート２００Ｂから構成されているドレントラップが示されている。  そして、ケース１００Ｂは、ケース本体５０とフロートブラケット７と弁座９とＯリングを構成した手動弁４により一体に構成されている。  また、ケース本体５０は、第一ケース１と第二ケース２とガスケット３により一体に構成され、ケース本体５０に形成されている流入口５０ａと流出口５０ｂを除いてドレン水が洩れないように完全に密閉されている。【０００４】  一方、フロート２００Ｂは、フロート本体５とアーム６とゴム弁座８により一体に構成されている。  この場合、アーム６は略Ｌ字状のものであって、一端にはケース１００Ｂに形成されている流入口５０ａより内部に流入したドレン水が溜まって来ると浮力を生じさせるフロート本体５を、他端にはケース１００Ｂに形成されている流出口５０ｂに位置している弁座９を開閉するゴム弁座８を構成し、曲がり部にはケース１００Ｂの内部に構成しているフロートブラケット７と繋合して保持されたフロート２００Ａ全体を回動可能にする回転軸６ａを形成している。【０００５】  従って、ケース１００Ｂ内にドレン水があまり流入していない場合には、フロート本体５に浮力も働かずフロート２００Ｂの自重によってゴム弁座８が弁座９に密着して閉鎖の状態にしている。  それに対し、ケース１００Ｂ内にドレン水が沢山流入して一定の位置以上になった場合には、フロート本体５に浮力が働きその浮力によってゴム弁座８が弁座９を離れ開放の状態になる。  但し、ケース１００Ｂ内に流入している圧縮空気の圧力が弁座９に作用する力と、ゴム弁座８の弾性力も弁９の開閉に影響を与えていることも事実である。【０００６】  また、特許文献１の図１には、本発明の浮力式ドレントラップの流出口を閉鎖している図として、ケース１００Ａとフロート２００Ａから構成されているドレントラップが示されている。  この場合、ケース１００Ａとフロート２００Ａとの間に磁石１３を介することで吸引力を発生させ、浮力Ｆと吸引力とそれらの力の発生する位置Ｘ、Ｙとの関係によってケース１００Ａを形成している流出口５０ｂを閉鎖したり開放し、ドレン水の保持や排出を可能にしている技術が示されている。
【特許文献１】  特開２００５−１８０６７７
【発明の開示】
【発明が解決しようとする課題】
【０００７】  しかしながら、このような従来の、ドレン水の排出方法および浮上式ドレントラップに関しては、以下に示すような課題があった。【０００８】  即ち、特許文献１の図５に示されている従来の技術では、弁を開放する弁座の開閉が、フロートの自重とフロート本体による浮力を中心として成される為に、継続的に流れている場合に、開いたと思うと閉じ、閉じたと思うと開くというように、常に半開きの状態になることが多かった。【０００９】  更に、特許文献１の図５に示されている従来の技術では、流量が少ない場合、浮力によるフロート本体が上昇せず、当然排水にも勢いが無い。  このため、溜ったドレン水の水と油が分離し、浮上した油が排出し難いという問題があった。【００１０】  加えて、特許文献１の図５に示されている従来の技術では、弁の内径が小さい場合流速がない為、油や垢等が内壁に付着し易くなり、詰まりの原因となって、清掃の間隔を短くする必要があった。【００１１】  一方、特許文献１の図１に示されている磁石を設置した技術でも、ドレン水が少量でも流れ続ける間は緩やかに排水されることで、磁石の機能を発揮する機会が極端に少なかった。  従って、鉄屑や錆が磁石に付着し、清掃の間隔を短くする必要があった。
【課題を解決するための手段】
【００１２】  本発明は、ケース１０、２０内にフロート５０を収納し、前記ケース１０、２０内に溜まるドレン水１０１によって前記フロート５０に浮力を発生させ、前記フロート５０を構成して一体となっている弁座５２を浮力によって回動させることで前記ケース１０、２０を構成して一体となっている弁１７に形成された流出口１１ｔ、２１ｔを開閉するようにしたドレン水の排出方法に於いて、前記弁１８を瞬時に完全に開放することが確実に成されるように、前記ケース１０、２０内に溜まる前記ドレン水１０１が瞬時に急激に増加するようにしたことを特徴とし、更には、前記ケース１０、２０内に溜まる前記ドレン水１０１が瞬時に急激に増加することが可能なように、流入するドレン水１０３を一旦貯留させることを特徴とし、更には、前記ドレン水１０３を一旦貯留させることで、その量が一定量を超えた際に、または一定時間を経過した際に、瞬時に急激に放出するようにしたことを特徴とし、更には、前記ドレン水１０３を一旦貯留させる手段として、前記ケース１０、２０内部の上部に位置し軸３２、４２によって保持しているドレン水貯留槽３０、４０に前記ドレン水１０３を一旦貯留させ、前記ドレン水貯留槽３０、４０の重心の位置が空の状態から満杯になるに従って移動するものであり、前記ドレン水貯留槽３０、４０が空の状態では、流入する前記ドレン水１０３を一旦貯留させることが可能なように開口部を水平面にさせていることを特徴とし、更には、前記ドレン水貯留槽３０、４０が満杯の状態に近付いた際には、前記ドレン水１０３を一旦貯留させた状態から全量を瞬時に急激に放出する為に、前記ドレン水貯留槽３０、４０が前記軸３２、４２を中心に回動可能にしたことを特徴とすることによって、上記課題を解決したのである。【００１３】  また、本発明は、アーム５１ｂを中心にして一方の端部に水で浮くことが出来るフロート本体５１ａを位置させ他方の端部の近傍に回転軸５１ｃを形成したフロート組立５１と他方の端部に弁座５２を一体に構成したフロート５０を、ドレン水１０１が流出する流出口１１ｔ、２１ｔを形成した弁１８と前記回転軸５１ｃを保持することで前記フロート５０を回動させるフロートブラケット１７とを一体に構成したケース１０、２０内に収納し、前記ケース１０、２０の一定の位置まで前記ドレン水１０１が溜まっていない場合には、前記フロート５０の自重によって前記弁座５２が前記弁１８を閉鎖し、前記ケース１０、２０の一定の位置以上まで前記ドレン水１０１が溜まった場合には、前記フロート本体１１、２１の浮力によって前記弁座５２が前記弁１８を開放するようにした浮力式ドレントラップに於いて、前記フロート本体５１ａの浮力によって前記弁座５２が前記弁１８を瞬時に完全に開放することが確実に成されるように、前記ケース１０、２０内に流入するドレン水１０３を一旦貯留させるドレン水貯留槽３０、４０を設け、前記ドレン水１０３を一旦貯留させた状態から瞬時に急激に放出することを可能にしたことを特徴とし、更には、前記ドレン水貯留槽３０、４０は、軸３２、４２によって回動可能に保持したものであり、前記ドレン水１０３を一旦貯留させた状態から全量を開口部先端３１ｋ、４１ｋより瞬��に急激に放出することを可能にしたことを特徴とし、更には、前記ドレン水貯留槽３０、４０が空の場合には、前記ドレン水貯留槽３０、４０の開口部が前記開口部先端３１ｋ、４１ｋと共に水平面となるようにし、回動することもなく流入する前記ドレン水１０３を一端貯留させることを可能とし、前記ドレン水貯留槽３０、４０が満杯になってきた場合には、前記ドレン水貯留槽３０、４０の重心を前記開口部先端３１ｋ、４１ｋの側に移動していくことで前記ドレン水貯留槽３０、４０が前記軸３２、４２を中心に回動可能とし、それによって前記ドレン水貯留槽３０、４０の前記ドレン水１０３を一旦貯留させた状態のものを前記開口部先端３１ｋ、４１ｋから前記ケース１０、２０内に瞬時に急激に放出することを可能にしたことを特徴とし、更には、前記ドレン水貯留槽３０、４０が空の場合には、前記ドレン水貯留槽３０、４０の開口部が前記開口部先端３１ｋ、４１ｋと共に水平面となるように、ストッパー２９で拘束することを特徴とし、更には、前記ドレン水貯留槽３０、４０を構成している貯留槽本体３１、４１の何れかの位置に錘を付加することで、前記ドレン水貯留槽３０、４０の重心を調整可能にしたことを特徴とすることによって、上記課題を解決したのである。
【発明の効果】
【００１４】  以上の説明から明らかなように、本発明によって、以下に示すような効果をあげることが出来る。【００１５】  即ち、弁を瞬時に完全に開放することが確実に成されるように、ケース内に溜まるドレン水が瞬時に急激に増加するようにしたことで、その為に流入するドレン水を一旦貯留させたことで、半開きの状態になることを防止することが出来、浮力によるフロート本体の上昇も容易となり、流速も十分に確保され、油や垢等が内壁に付着することも無く、清掃の間隔も長期で良くなった。【００１６】  また、ドレン水貯留槽を構成している貯留槽本体の何れかの位置に錘を付加することで、ドレン水貯留槽の重心を調整可能にしたことにより、ドレン水貯留槽の空と満杯での必要とする位置を確保する為の調整が容易となった。【００１７】  更に、ドレン水貯留槽が空の場合には、ドレン水貯留槽の開口部が開口部先端と共に水平面となるように、ストッパーで拘束することで、ドレン水貯留槽の空での必要とする位置を確保することが容易となった。
【発明を実施するための最良の形態】
【００１８】  以下、本発明の実施の形態を図面と共に詳細に説明する。
ここで、図１は、本願発明に於ける浮力式ドレントラップの平面図であり、図２は、本願発明に於ける浮力式ドレントラップのＡ−Ａ断面図であり、図３は、本願発明に於ける浮力式ドレントラップのＢ−Ｂ断面図であり、図４は、本願発明に於ける浮力式ドレントラップのＣ−Ｃ断面図であり、図５は、本願発明に於ける別の浮力式ドレントラップの平面図であり、図６は、本願発明に於ける別の浮力式ドレントラップのＤ−Ｄ断面図であり、図７は、本願発明に於ける別の浮力式ドレントラップのＥ−Ｅ断面図であり、図８は、本願発明に於ける別の浮力式ドレントラップのＤ−Ｄ断面図のドレン水貯留槽が回転した図であり、図９は、本願発明に於ける別の浮力式ドレントラップのＤ−Ｄ断面図のストッパーを設けた図であり、図１０は、本願発明に於けるフロートの斜視図である。【００１９】（第一の実施例）
図１と図２と図３と図４と図１０に見られる浮力式ドレントラップは、ケース１０と、ケース１０内部に位置しているフロート５０と、ケース１０内部の上部に位置しているドレン水貯留槽３０から構成されている。【００２０】  この場合、ケース１０は、円筒で中空のケース本体１１と、ケース本体１１の上部と螺合によって接続している上フランジ１２と、ケース本体１１の下部と螺合によって接続している下フランジ１３と、上フランジ１２と螺合によって接続しているドレン入口継手１４と、下フランジ１３と螺合によって接続しているドレン継手１５と、ケース本体１１の側面と螺合によって接続している排水継手１６と、フロート５０を繋合し保持するフロートブラケット１７と、フロートブラケット１７を挟んで排水継手１６と螺合によって接続している弁１８により一体に構成されている。【００２１】  尚、ケース１０は中空の形状をしていて、ドレン入口継手１４に形成されている流入口１１ｓと弁１８に形成されている流出口１１ｔを除いては、ドレン水１０１が洩れないように密閉された状態になっている。【００２２】  そして、ケース本体１１の側面には、ドレン水貯留槽３０を保持する為に、ケース本体１１の上端部から同じ高さに位置していて内部まで貫通している二箇所の穴１１ｋを形成し、ケース本体１１の内側に於いて形成されている二箇所の穴１１ｋの周囲を囲んで二箇所の座１１ａを位置させてケース本体１１内側との間と溶接によって固定し、二箇所の穴１１ｋと二箇所の座１１ａとの間でドレン水貯留槽３０を回動可能に保持することが可能なように、二箇所の穴１１ｋと二箇所の座１１ａの中心が一直線になるように位置させている。  尚、座１１ａに関しては、ケース本体１１と溶接によって一体に固定させなくとも、分離させた状態にしても構わない。【００２３】  ところで、図２に示すように、一端に鍔を他端に雄ネジを一端の鍔の中心と他端の雄ネジの中心の間を貫通させている流出口１１ｔを形成した弁１８は、その弁１８の鍔の側をケース本体１１の内側に位置させて、鍔と排水継手１６との間にフロートブラケット１７を挟んで螺合によって接続している。  従って、弁１８の役割としては、ケース本体１１の内側から外側に弁１８に形成された流出口１１ｔを通ってドレン水１０１が流出するようになっているのである。  また、ケース本体１１の側面と螺合によって接続している排水継手１６と、排水継手１６と螺合によって接続している弁１８およびフロートブラケット１７を構成することによって、ケース本体１１と排水継手１６とフロートブラケット１７と弁１８等は一体になっているのである。【００２４】  一方、フロート５０は、アーム５１ｂを中心にして一方の端部に水で浮くことが出来るフロート本体５１ａを位置させ他方の端部の側である曲がり部５１ｘの近傍に回転軸５１ｃを形成したフロート組立５１と、他方の端部に弁座５２を一体に構成している。【００２５】  繰り返して詳細に述べると、フロート５０はフロート組立５１と弁座５２より構成されていて、このフロート組立５１を形成しているアーム５１ｂは略コ字状のものであって、一方の端部にはケース１０内にドレン水１０１が溜まって来ると浮力を生じさせるフロート本体５１ａを、更に他方の端部の側である曲がり部５１ｘの近傍に回転軸５１ｃを形成している。  そして、他方の端部には、ケース１０を構成しケース本体１１と螺合によって接続している排水継手１６に更にケース１０を構成し排水継手１６と螺合によって接続している弁１８に形成されている流出口１１ｔを流れる流体の流れを開閉する、弁座５２を一体に構成している。【００２６】  また、図１０に見られるように、このフロート組立５１を形成しているアーム５１ｂの曲がり部５１ｘには、ケース１０の内部に位置してケース１０を構成しているフロートブラケット１７に形成されている軸受穴１７ａと繋合して保持されていて、更にフロート５０全体が回動することを可能にしている、回転軸５１ｃを形成している。【００２７】  この場合、ケース１０の一定の位置までドレン水１０１が溜まっていない場合には、フロート５０の自重によって弁座５２が弁１８を閉鎖し、ケース１０の一定の位置以上までドレン水１０１が溜まった場合には、フロート本体１１の浮力によって弁座５２が弁１８を開放するようにしている。  従って、ケース１０内に溜まるドレン水１０１が瞬時に急激に増加するようにしたことで、弁１８を瞬時に完全に開放することが確実に成されることが可能になったのである。【００２８】  但し、アーム５１ｂの形状に関しては、略コ字状に限定する必要は無く、略Ｌ字状やその他の形状のものも考えられる。  更に、アーム５１ｂの曲がり部の角度に関しては、９０度以上でも９０度以下でも構わない。  加えて、アーム５１ｂに関しては、弁座５２が弁１８を閉鎖している際には、水面に対して平行に位置することは考えられるが、平行でなくても構わない。  また、アーム５１ｂが曲がり部５１ｘを形成しない略Ｌ字状のものにして、弁座５２と弁１８を同軸に位置させることはせずに、直角方向に位置させることも考えられる。【００２９】  次に、ケース１０内部の上部に位置しているドレン水貯留槽３０に関して述べると、ケース１０を構成しているケース本体１１に形成されている二箇所の座１１ａと穴１１ｋに保持させることが出来るように、ボルト状の軸３２とナット３３と共に回動可能に貯留槽本体３１と一体に構成している。  その場合、一つの例としては軸３２の頭部を貯留槽本体３１の内部に位置させ、更に軸３２を貯留槽本体３１とケース本体１１を貫通させた状態でネジ部をケース本体１１の外側に突出させナット３３で固定しているのである。  そして、流入したドレン水１０３を一旦貯留させた状態から全量を開口部先端３１ｋより瞬時に急激に放出することを可能にしている。【００３０】  尚、貯留槽本体３１と軸３２の間は、一体であることが必要であり、軸３２にボルトを使用して貯留槽本体３１と軸３２の間を螺合によって接続したり接着剤を使用することが考えられるが、隙間を持たせることも考えられる。  また、軸３２は、ケース本体１１から突出した状態でナット３３で固定している。  但し、ナット３３は無くても全く構わない。  更に、軸３２の位置に関しては、頭部をケース本体１１の外側に位置させて、貯留槽本体３１の内側をナット３３で固定することも考えられる。  ここで、回動部は、穴１１ｋと座１１ａの一方又は両方ということ���なるが、多少の漏れを良しとすると貯留槽本体３１の場合も有り得る。【００３１】  ところで、ドレン水貯留槽３０にドレン水１０３が空の場合には、ドレン水貯留槽３０の開口部が開口部先端３１ｋと共に水平面となるようにし、回動することもなく流入するドレン水１０３を一旦貯留させることを可能とし、ドレン水貯留槽３０が満杯になってきた場合には、ドレン水貯留槽３０の重心を軸３２に対して開口部先端３１ｋと同じ側に移動していくことで最終的にはドレン水貯留槽３０が軸３２を中心に回動可能とし、それによってドレン水貯留槽３０のドレン水１０３を一旦貯留させた状態のものを開口部先端３１ｋからケース１０内に瞬時に急激に放出することを可能にしている。  尚、ドレン水貯留槽３０が空の場合には、ドレン水貯留槽３０が空の状態での重心を軸３２に対して開口部先端３１ｋと反対の側に位置させるのが効果的である。【００３２】  一方、ドレン水貯留槽３０の形状に関しては、図２に於いては、断面から見た場合半円と接線の延長した半円と直線から形成された形状であり、接線の延長上に開口部先端３１ｋが位置していて、半円の接線の延長上と半円の接線と反対側の一端と開口部先端３１ｋとで開口部である水平面を形成している。  そして、このドレン水貯留槽３０が軸３２を中心に回動するとドレン水１０３を一旦貯留させた状態から全量を瞬時に急激に放出することを可能にしている。  従って、全量放出することが可能であれば、空の状態から満杯の状態に至る重心の移動と合わせて、断面が三角形でも台形でも開口部先端３１ｋが１０〜５０度程度であればその他の形状のものでも構わない。【００３３】  本発明による、ドレン水の排出方法および浮力式ドレントラップは前述したように構成されており、以下にその動作について説明する。【００３４】  先ず、ケース１０内に、ドレン水１０３が流入口１１ｓより流入する。  この場合、流入口１１ｓの下部には、ドレン水貯留槽３０を構成している貯留槽本体３１の開口部が開口部先端３１ｋと共に上向きに水平面となって位置し、流入するドレン水１０３を一旦貯留することが出来るようになっている。【００３５】  ここで、ドレン水貯留槽３０の開口部が開口部先端３１ｋと共に上向きに水平面となるように位置するという意味は、ドレン水貯留槽３０が空の状態でのドレン水貯留槽３０の重心の位置を軸３２に対して開口部先端３１ｋと反対の側に位置させることでその位置を確保しているが、軸３２の周囲に於ける回動部の摩擦損出ということを考慮すると、軸３２の近傍であれば開口部先端３１ｋの側ということも考えられる。【００３６】  更に、ドレン水貯留槽３０が満たされるに従ってドレン水貯留槽３０の重心の位置が開口部先端３１ｋの側に移動し、満杯の状態近傍でドレン水貯留槽３０の重心が軸３２の右側に位置することで、ドレン水貯留槽３０が軸３２を中心に回動し、貯留槽本体３１はドレン水貯留槽回転仮想図３０ｚに位置することでドレン水貯留槽３０からドレン水１０３を一旦貯留させた状態から全量を開口部先端３１ｋより瞬時に急激に放出することを可能にしている。【００３７】  そこで、ドレン水貯留槽３０から瞬時に急激に放出されたドレン水１０３は、ケース１０内に溜まることになる。  この場合、ケース１０内に溜まるドレン水１０１の量は、ドレン水貯留槽３０からドレン水１０３を一旦貯留させた状態から全量を開口部先端３１ｋより瞬時に急激に放出される為に、ドレン水１０１がケース１０内に溜まることによる液面の上昇も急激であり、従って液面の上昇によりフロート５０を構成しているフロート本体５１ａの上昇も急激なものとなる。  その結果、フロート５０を構成している便座５２も、弁１８から一瞬にして大きく移動し開放することになり、ケース１０内に溜まっているドレン水１０１を確実に排出することが可能となるのである。【００３８】  そして、ケース１０内に溜まったドレン水１０１が弁１８に形成している流出口１１ｔから排出されて、ケース内部１１ｚの液面の高さが流出口１１ｔ近傍の高さになると、フロート５０を構成している便座５２がケース１０を構成している弁１８を確実に閉ざすことになる。  尚、弁１８を閉じた状態でのフロート５０の位置関係としては、フロート５０の重量によってフロート５０を構成している便座５２がケース１０を構成している弁１８を確実に閉ざすことが望ましいし、また確実に閉ざすためにフロート５０とケース１０の間を磁力で拘束することは非常に効果的な方法である。【００３９】  一方、ドレン水貯留槽３０に貯留されたドレン水１０３が放出されてから便座５２が弁１８を閉じる間にも、ドレン水貯留槽３０にはドレン水１０３が貯留されることになる。そして、再びドレン水貯留槽３０にドレン水１０３が満杯になると、再びドレン水貯留槽３０が軸３２を中心に回動し貯留しているドレン水１０３を全部放出することを繰り返すのである。【００４０】（第二の実施例）
図５と図６と図７と図８と図９と図１０に見られる浮力式ドレントラップは、ケース２０と、ケース２０内部に位置しているフロート５０と、ケース１０内部の上部に位置しているドレン水貯留槽４０から構成されている。【００４１】  この場合、ケース２０は、背板２１ａと上部容器２１ｂと下部容器２１ｃとが溶接によって溶接部２１ｈを介して一体に形成されているケース本体２１と、ケース本体２１と共に中空体を成す為の前面板２２と、ケース本体２１と前面板２２との間の密閉状態を保つためのパッキン２６と、ケース本体２１に前面板２２を取り付ける複数本のボルト２７と、ケース本体２１を形成している上部容器２１ｂの上部と螺合によって接続しているドレン入口継手２３と、ケース本体２１を形成している上部容器２１ｂと下部容器２１ｃを連通させる目的で螺合によって接続している連結継手２４と、ケース本体２１を形成している下部容器２１ｃの下部と螺合によって接続しているドレン継手２５と、ケース本体２１を形成している下部容器２１ｃの側面と螺合によって接続している排水継手１６と、フロート５０を繋合し保持するフロートブラケット１７と、フロートブラケット１７を挟んで排水継手１６と螺合によって接続している弁１８により一体に構成されている。【００４２】  尚、ケース２０は中空の形状をしていて、ドレン入口継手２３に形成されている流入口２１ｓと弁１８に形成されている流出口２１ｔを除いては、ドレン水１０１や浮上油１０２が洩れないように密閉された状態になっている。  この場合、図６や図７や図９に於いては、ドレン水１０１と浮上油１０２が分離した状態で示しているが、第一の実施例に見られるように、ドレン水１０１という形で混合されている状態も考えられる。  従って、第一の実施例に於いては、逆にドレン水１０１と浮上油１０２が分離した状態ということも考えられる。【００４３】  そして、ケース２０を構成しているケース本体２１を形成している背板２１ａと、ケース２０を構成している前面板２２には、ドレン水貯留槽４０を回動可能に保持する為に、ケース２０の上端部から同じ高さに位置していて内部に貫通していない二箇所のネジ孔２１ｋ、２２ｋを形成している。  この場合、ネジ孔２１ｋ、２２ｋには、雌ネジを形成している。【００４４】  ところで、図６に示すように、一端に鍔を他端に雄ネジを一端の鍔の中心と他端の雄ネジの中心の間を貫通させている流出口２１ｔを形成した弁１８は、その弁１８の鍔の側をケース２０の内側に位置させて、鍔と排水継手１６との間にフロートブラケット１７を挟んで螺合によって接続している。  従って、弁１８は、ケース２０の内側から外側に弁１８に形成された流出口２１ｔを通ってドレン水１０１や浮上油１０２が流出するようになっている。  また、ケース２０の側面と螺合によって接続している排水継手１６と、排水継手１６と螺合によって接続している弁１８およびフロートブラケット１７を構成することによって、ケース本体２１と前面板２２と排水継手１６とフロートブラケット１７と弁１８等は一体になっているのである。【００４５】  一方、フロート５０に関しては、第一の実施例に記載した内容と同じになるので詳細を述べることは省略する。【００���６】  次に、ケース２０内部の上部に位置しているドレン水貯留槽４０に関して述べると、ケース２０を構成しているケース本体２１を形成している背板２１ａと前面板２２に形成されている二箇所のネジ孔２１ｋ、２２ｋに保持させることが出来るように、ボルト状の軸４２と平座金４３と共に回動可能に貯留槽本体４１と一体に構成している。  その場合、軸４２の頭部を貯留槽本体４１の内部に位置させ、更に軸４２を貯留槽本体４１を貫通させた状態でネジ部をケース本体２１や前面板２２の内側に形成されたネジ孔２１ｋ、２２ｋで固定しているのである。  そして、流入したドレン水１０３を一旦貯留させた状態から全量を開口部先端３１ｋより瞬時に急激に放出することを可能にしている。  尚、ドレン水貯留槽３０、４０に関しては、第一の実施例、第二の実施例に、どちらのものを使用しても構わない。【００４７】  ところで、ドレン水貯留槽４０にドレン水１０３が空の場合には、ドレン水貯留槽４０の開口部が開口部先端４１ｋと共に水平面となるようにし、回動することもなく流入するドレン水１０３を一旦貯留させることを可能とし、ドレン水貯留槽４０が満杯になってきた場合には、ドレン水貯留槽４０の重心を軸４２に対して開口部先端４１ｋと同じ側に移動していくことで最終的にはドレン水貯留槽４０が軸４２を中心に回動可能とし、それによってドレン水貯留槽４０のドレン水１０３を一旦貯留させた状態のものを開口部先端４１ｋからケース２０内に瞬時に急激に放出することを可能にしている。  尚、ドレン水貯留槽４０が空の場合には、ドレン水貯留槽４０が空の状態での重心を軸４２に対して開口部先端４１ｋと反対の側に位置させるのが効果的である。【００４８】  一方、ドレン水貯留槽４０の形状に関しては、第一の実施例に記載した内容と同じになるので詳細を述べることは省略する。【００４９】  尚、ドレン水貯留槽４０にドレン水１０３が空の場合に、ドレン水貯留槽４０の開口部が開口部先端４１ｋと共に水平面となるように調整する手段として、ドレン水貯留槽４０を構成している貯留槽本体４１の何れかの位置に錘を付加することで、ドレン水貯留槽４０が空の状態での重心の位置を調整可能にすることが出来る。  この場合、開口部先端４１ｋから出来る限り離れた下部で調整することが効果的である。  また、この調整は、ドレン水貯留槽４０が満杯になってきた場合に、ドレン水貯留槽４０のドレン水が開口部先端４１ｋからケース２０内に瞬時に急激に放出を可能とすることにも効果的である。  そして、この手段は、第一の実施例に対しても有効である。【００５０】  更に、ドレン水貯留槽４０にドレン水１０３が空の場合に、ドレン水貯留槽４０の開口部が開口部先端４１ｋと共に水平面となるように調整する手段として、図９に見られるように、ケース本体２１内側の上部のしかるべき場所にストッパー２９で拘束することによってより容易に達成出来るのである。  そして、この手段も、第一の実施例に対しても有効である。【００５１】  本発明による、ドレン水の排出方法および浮力式ドレントラップは前述したように構成されており、以下にその動作について説明する。【００５２】  この場合、動作に関しては第一の実施例に記載した内容と���じになるので詳細を述べることは省略する。【００５３】  但し、一つの応用例として示すと、ケース２の連通穴２１ｕを形成した連続継手２４を利用して、弁１８を瞬時に完全に開放することが確実に成されるように、その為ケース２０内に溜まるドレン水１０１が瞬時に急激に増加するように、連続継手２４に開閉弁を位置させ、ドレン水貯留槽４０は設けず上部容器２１ｂにドレン水を貯留させることで対応することも可能である。  具体的には、一定時間とか、上部容器２１ｂの一定の位置までドレン水が流入したことで開放することが考えられる。
【産業上の利用可能性】
【００５４】  浮力を利用して弁を開放するのに際し、特に浮力の効果を顕著に引き出すことで、瞬時に完全に開放することが確実に成されるように、ドレントラップ内に溜まるドレン水が瞬時に急激に増加するようにした技術に関して述べたものである。
【図面の簡単な説明】
【００５５】
【図１】  本願発明に於ける浮力式ドレントラップの平面図
【図２】  本願発明に於ける浮力式ドレントラップのＡ−Ａ断面図
【図３】  本願発明に於ける浮力式ドレントラップのＢ−Ｂ断面図
【図４】  本願発明に於ける浮力式ドレントラップのＣ−Ｃ断面図
【図５】  本願発明に於ける別の浮力式ドレントラップの平面図
【図６】  本願発明に於ける別の浮力式ドレントラップのＤ−Ｄ断面図
【図７】  本願発明に於ける別の浮力式ドレントラップのＥ−Ｅ断面図
【図８】  本願発明に於ける別の浮力式ドレントラップのＤ−Ｄ断面図のドレン水貯留槽が回転した図
【図９】  本願発明に於ける別の浮力式ドレントラップのＤ−Ｄ断面図のストッパーを設けた図
【図１０】  本願発明に於けるフロートの斜視図
【符号の説明】
【００５６】１０・・・・・・ケース
１１・・・・・・ケース本体
１１ａ・・・・・座
１１ｋ・・・・・穴
１１ｓ・・・・・流入口
１１ｔ・・・・・流出口
１１ｚ・・・・・ケース内部
１２・・・・・・上フランジ
１３・・・・・・下フランジ
１４・・・・・・ドレン入口継手
１５・・・・・・ドレン継手
１６・・・・・・排水継手
１７・・・・・・フロートブラケット
１７ａ・・・・・軸受穴
１８・・・・・・弁
２０・・・・・・ケース
２１・・・・・・ケース本体
２１ａ・・・・・背板
２１ｂ・・・・・上部容器
２１ｃ・・・・・下部容器
２１ｈ・・・・・溶接部
２１ｋ・・・・・ネジ孔
２１ｓ・・・・・流入口
２１ｔ・・・・・流出口
２１ｕ・・・・・連通穴
２１ｘ・・・・・上部容器内部
２１ｙ・・・・・下部容器内部
２２・・・・・・前面板
２２ｋ・・・・・ネジ孔
２３・・・・・・ドレン入口継手
２４・・・・・・連結継手
２５・・・・・・ドレン継手
２６・・・・・・パッキン
２７・・・・・・ボルト
２９・・・・・・ストッパー
３０・・・・・・ドレン水貯留槽
３０ｚ・・・・・ドレン水貯留槽回転仮想図
３１・・・・・・貯留槽本体
３１ｋ・・・・・開口部先端
３２・・・・・・軸
３３・・・・・・ナット
４０・・・・・・ドレン水貯留槽
４０ｚ・・・・・ドレン水貯留槽回転仮想図
４１・・・・・・貯留槽本体
４１ｋ・・・・・開口部先端
４２・・・・・・軸
４３・・・・・・平座金
５０・・・・・・フロート
５１・・・・・・フロート組立
５１ａ・・・・・フロート本体
５１ｂ・・・・・アーム
５１ｃ・・・・・回転軸
５１ｘ・・・・・曲がり部
５２・・・・・・弁座
１０１・・・・・ドレン水
１０２・・・・・浮上油
【図１】
2008281186.tif 000003
【図２】
2008281186.tif 000004
【図３】
2008281186.tif 000005
【図４】
2008281186.tif 000006
【図５】
2008281186.tif 000007
【図６】
2008281186.tif 000008
【図７】
2008281186.tif 000009
【図８】
2008281186.tif 000010
【図９】
2008281186.tif 000011
【図１０】
2008281186.tif 000012